(57)【要約】【課題】コストの上昇を招く別部材を必要とせずに、表示器の表示面を保護する機能と表示器を保持する機能を兼ね備えることができる表示器保持部品、携帯電子機器及び表示器保持部品の組み付け方法を提供する。【解決手段】表示器を保持するための表示器保持部品において、保持されるべき表示器１８の周縁部を覆って表示面１８ａを露出させる開口１２が形成される保持壁１４と、被固定部と係止するための爪受け部１７を有する枠部１１と、枠部１１の一部に連続して形成され、保持壁１４の一方の面側との間に表示器１８を保持する空隙を形成するように開口１２と対向する位置まで延在された舌部１５とを有し、枠部１１と舌部１５は弾性部材により形成されている。【選択図】図１
2007298575.tif 000002
【特許請求の範囲】
【請求項１】
表示器を保持するための表示器保持部品において、
保持されるべき表示器の周縁部を覆って表示面を露出させる開口が形成される保持壁と、被固定部と係止するための係止固定部を有する枠部と、
前記枠部の一部に連続して形成され、前記保持壁の一方の面側との間に表示器を保持する空隙を形成するように前記開口と対向する位置まで延在された背面保持部とを有し、
前記枠部と前記背面保持部は弾性部材により形成されていることを特徴とする表示器保持部品。
【請求項２】
前記保持壁から平面視したときの前記枠部の外形が矩形状に形成され、前記背面保持部は、一端を自由端とする舌状に形成されていることを特徴とする請求項１に記載の表示器保持部品。
【請求項３】
前記背面保持部の一端は、前記開口の範囲内に位置する形状を有することを特徴とする請求項１または２に記載の表示器保持部品。
【請求項４】
前記背面保持部と前記枠部とを連結する前記連結部近傍の背面保持部の厚みが背面保持部の他の部分とに比べ薄肉に形成されていることを特徴とする請求項１から３のいずれか一項に記載の表示器保持部品。
【請求項５】
表示器を保持した請求項１から４のいずれか一項に記載の表示器保持部品と、
前記表示器保持部品が内部に固定されると共に、前記表示器の表示面を外部から視認可能な窓部を有する筐体と
を備えたことを特徴とする携帯電子機器。
【請求項６】
前記表示器は、前記表示器に対し給電及び表示信号の導通を行う外部配線が接続される外部配線接続部を有し、前記枠部は、前記外部配線接続部を覆うカバー部を有することを特徴とする請求項５に記載の携帯電子機器。
【請求項７】
前記表示器は、自発光素子型の表示器或いはバックライトを備えた表示器であることを特徴とする請求項５または６に記載の携帯電子機器。
【請求項８】
第１表示器と、前記第１表示器の表示面を外部から視認可能な窓部を有する筐体と、前記第１表示器を保持した状態で前記筐体内に固定される表示器保持部品と、前記筐体に内蔵される第２表示器と、を備え、
前記表示器保持部品は、前記第１表示器の周縁部を覆って前記第１表示器の表示面を露出させる開口が形成される保持壁と被固定部と係止するための係止固定部を有する枠部と、前記枠部の一部に連続して形成され前記第１表示器の背面側に位置する背面保持部とを含んで弾性部材により形成され、
前記第２表示器は、前記第２表示器の背面側に配置される板金部品を備え、
前記板金部品は、前記第２表示器の背面側方向に前記係止手段を突出させて前記被固定部が形成され、
前記係止手段に前記係止固定部を係止させて前記表示器保持部品を前記筐体内にて前記板金部品に対して固定することを特徴とする携帯電子機器。
【請求項９】
表示器を、前記表示器の表裏面両側から挟み込む弾性部材からなる表示器保持部品に装着し保持する工程と、
前記表示器を保持する前記表示器保持部品を、前記表示器の裏面側に位置する筐体構成部品に位置決め固定する工程と、
前記位置決め固定した前記表示器保持部品を、前記表示器の表示面側に位置する筐体構成部品に内面側から接触させた状態で、筐体内に組み込む工程と
を有する表示器保持部品の組み付け方法。
【発明の詳細な説明】
【技術分野】
【０００１】
この発明は、表示器保持部品、携帯電子機器及び表示器保持部品の組み付け方法に関し、特に、表示器に埃等が付着するのを防止すると共に表示器を保持する表示器保持部品、この表示器保持部品により表示器が装着されている携帯電子機器、及び表示器保持部品の組み付け方法に関する。
【背景技術】
【０００２】
従来、携帯電子機器の表示器を保持する表示器保持部品が知られている。携帯電子機器である携帯電話装置には、例えば、メインとサブの２個の表示器を備えたものがあり、サブ表示器は、筐体の外ケース内面に直接取り付けられている。このサブ表示器の表示面に塵埃等が付着するのを防止するため、サブ表示器をスポンジ等の弾性部材により形成したシートを介して筐体に取り付けている。
【０００３】
つまり、例えば、液晶ディスプレイ（Ｌｉｑｕｉｄ  Ｃｒｙｓｔａｌ  Ｄｉｓｐｌａｙ：ＬＣＤ）からなるサブ表示器に接触する筐体側にシートを貼り付けて、サブ表示器と筐体の間に生じる隙間を埋めることにより、筐体内部においてサブ表示器の表示面に塵埃等が入り込むのを防止している。
また、サブ表示器の筐体への固定は、例えば、サブ表示器の表示面を形成するガラス面の周辺を囲うように装着してサブ表示器を保持する、例えば、プラスチックホルダを介して、即ち、サブ表示器を保持したプラスチックホルダを筐体に固定して行っている。
【０００４】
このような、表示器を保持したホルダを用いて筐体に表示器を装着するものとして、例えば、「ＬＣＤ表示器取付け構造」（特許文献１参照）がある。
【特許文献１】特開平０９−２８３９５０号公報
【発明の開示】
【発明が解決しようとする課題】
【０００５】
しかしながら、従来の表示器を装着する構造においては、表示器を保持するプラスチックホルダに加え、衝撃等が加わった場合に表示器の表示面を保護するための別部材（例えば、弾性部材からなるシート等）が必要になるため、コストが上昇してしまうことが避けられなかった。
この発明の目的は、コストの上昇を招く別部材を必要とせずに、表示器の表示面を保護する機能と表示器を保持する機能を兼ね備えることができる表示器保持部品及び携帯電子機器を提供することである。
【課題を解決するための手段】
【０００６】
上記目的を達成するため、この発明に係る表示器保持部品は、表示器を保持するための表示器保持部品において、保持されるべき表示器の周縁部を覆って表示面を露出させる開口が形成される保持壁と、被固定部と係止するための係止固定部を有する枠部と、前記枠部の一部に連続して形成され、前記保持壁の一方の面側との間に表示器を保持する空隙を形成するように前記開口と対向する位置まで延在された背面保持部とを有し、前記枠部と前記背面保持部は弾性部材により形成されていることを特徴としている。
【０００７】
また、本発明は、前記保持壁から平面視したときの前記枠部の外形が矩形状に形成され、前記背面保持部は、一端を自由端とする舌状に形成されていることを特徴とすることが好ましい。
また、本発明は、前記背面保持部の一端は、前記開口の範囲内に位置する形状を有することを特徴とすることが好ましい。
また、本発明は、前記背面保持部と前記枠部とを連結する前記連結部近傍の背面保持部の厚みが背面保持部の他の部分とに比べ薄肉に形成されていることを特徴とすることが好ましい。
【０００８】
この発明に係る携帯電子機器は、表示器を保持した表示器保持部品と、前記表示器保持部品が内部に固定されると共に、前記表示器の表示面を外部から視認可能な窓部を有する筐体とを備えたことを特徴としている。
また、本発明は、前記表示器は、前記表示器に対し給電及び表示信号の導通を行う外部配線が接続される外部配線接続部を有し、前記枠部は、前記外部配線接続部を覆うカバー部を有することを特徴とすることが好ましい。
また、本発明は、前記表示器は、自発光素子型の表示器或いはバックライトを備えた表示器であることを特徴とすることが好ましい。
【０００９】
また、本発明は、第１表示器と、前記第１表示器の表示面を外部から視認可能な窓部を有する筐体と、前記第１表示器を保持した状態で前記筐体内に固定される表示器保持部品と、前記筐体に内蔵される第２表示器と、を備え、前記表示器保持部品は、前記第１表示器の周縁部を覆って前記第１表示器の表示面を露出させる開口が形成される保持壁と被固定部と係止するための係止固定部を有する枠部と、前記枠部の一部に連続して形成され前記第１表示器の背面側に位置する背面保持部とを含んで弾性部材により形成され、前記第２表示器は、前記第２表示器の背面側に配置される板金部品を備え、前記板金部品は、前記第２表示器の背面側方向に前記係止手段を突出させて前記被固定部が形成され、前記係止手段に前記係止固定部を係止させて前記表示器保持部品を前記筐体内にて前記板金部品に対して固定することを特徴とすることが好ましい。
【００１０】
この発明に係る表示器保持部品の組み付け方法は、表示器を、前記表示器の表裏面両側から挟み込む弾性部材からなる表示器保持部品に装着し保持する工程と、前記表示器を保持する前記表示器保持部品を、前記表示器の裏面側に位置する筐体構成部品に位置決め固定する工程と、前記位置決め固定した前記表示器保持部品を、前記表示器の表示面側に位置する筐体構成部品に内面側から接触させた状態で、筐体内に組み込む工程とを有することを特徴としている。
【発明の効果】
【００１１】
この発明によれば、コストの上昇を招く別部材を必要とせずに、表示器の表示面を保護する機能と表示器を保持する機能を兼ね備えることができる。
【発明を実施するための最良の形態】
【００１２】
以下、この発明を実施するための最良の形態について図面を参照して説明する。
図１は、この発明の一実施の形態に係るホルダを示し、（ａ）は表面側の斜視図、（ｂ）は裏面側の斜視図である。図２は、図１（ａ）のホルダを詳細に示し、（ａ）はＡ−Ａ線に沿う断面図、（ｂ）はＢ−Ｂ線に沿う断面図である。
図１及び図２に示すように、ホルダ（表示器保持部品）１０は、枠部１１に囲まれた矩形状の開口１２を有する矩形枠状体からなり、ゴム、スポンジ、軟質樹脂等の弾性部材を一体成型することにより形成されている。このホルダ１０には、後述する薄板状の表示器１８（図３参照）が組み込まれて保持される。
【００１３】
枠部１１は、少なくとも表示器１８の厚み（肉厚）に相当する厚み（表裏面幅）を有しており、表面１１ａ（第２の面）側には、一方の長辺部にカバー部１３（図１（ａ）参照）が、他方の長辺部及び両短辺部に保持壁１４（図１（ａ）参照）が、裏面１１ｂ（第１の面）側には、他方の長辺部に舌部（背面保持部）１５（図１（ｂ）参照）を、それぞれ有している。つまり、枠部１１は、保持されるべき表示器１８の周縁部を覆って表示面１８ａを露出させる開口１２が形成される保持壁１４を有する。また、枠部１１は、裏面１１ｂ表示器１８の外周を囲う壁状の側壁１１ｃを有するように形成されており、カバー部１３裏面側の側壁の中央部分が、配線部材を位置させるために切り欠かれている（図１（ｂ）参照）。
【００１４】
開口１２は、表示器１８の表示面１８ａを露出させることができる、表示面１８ａの形状に対応した開口形状を有している。カバー部１３は、後述する外部配線接続部１９を覆うことができる幅が広い薄板状に形成されている（図１参照）。保持壁１４は、カバー部１３に連続すると共に枠部１１の側壁１１ｃに対し内向きフランジ状に形成されている（図１，２参照）。
【００１５】
舌部１５は、他方の長辺部から延び出て先端がカバー部１３近傍に達する矩形状を有しており、一方の長辺部（即ち、カバー部１３）側及び両短辺部側の３辺が枠部１１から切り離され離間している（図１，２参照）。また、舌部１５と枠部１１の連結部となる枠部１１の他方の長辺部Ｈが、枠部１１に対し曲げ易くなるように、舌部１５における他方の長辺部Ｈ以外の部分に比べ薄肉状態に形成されている（図１，２参照）。
【００１６】
つまり、舌部１５は、枠部１１の特に側壁１１ｃ一部に連続する連結部をもって連続して形成されるとともに、この連結部を除き枠部１１から切り離されて、開口周縁部（保持壁１４）から表示器を保持可能な程度の空隙を持って、枠部１１の第１の面に対向するように、かつ、開口１２の範囲内に位置する形状を有して形成されており、表示面１８ａの背面側に位置している。このため、他方の長辺部Ｈを基部１５ａとして一方の長辺部側が自由端１５ｂとなり、基部１５ａを支点に屈曲させて自由端１５ｂを表面１１ａ側及び裏面１１ｂ側に自由に変位させることができる。
このように、枠部１１は、保持壁１４により、保持した表示器１８の表示面１８ａ側周縁部を覆うと共に、表示面１８ａを露出させる開口１２を形成しており、表面１１ａ側と裏面１１ｂ側の間、即ち、カバー部１３及び保持壁１４と舌部１５の間の空隙に、表示器１８を挟み込むように収納し保持することができる。
【００１７】
また、ホルダ１０には、枠部１１の表面１１ａ側に、開口１２を取り囲むように全周にわたって形成されると共に、所定間隔を有して内外二重に配置された、突条（第１突条）１６ａと突条（第２突条）１６ｂが突設されている。２本の突条１６ａ，１６ｂは、それぞれ弾性部材からなる、枠部１１の表示器視認方向に向けて突出する細い糸状のリブ形に形成されている。枠部１１には、他方の長辺部（即ち、舌部１５の基部１５ａ側）の離間する２箇所と、各短辺部の一方の長辺部（即ち、カバー部１３）側端の２箇所の計４箇所に、爪受け部（係止固定部）１７が設けられている。各爪受け部１７は、裏面１１ｂ側に開口する各辺に沿った長穴状に形成されている（図１（ｂ）参照）。
【００１８】
このホルダ１０は、例えば、金型成型により形成することができるが、成型に際しアンダーカット部となる箇所を極力減らしているので、生産性の向上を図ることができる。つまり、ホルダ１０にあっては、成型に際しアンダーカット部となる箇所が、舌部１５の基部１５ａのみであり、保持壁１４が形成された、舌部１５の一方の長辺部（即ち、カバー部１３）側及び両短辺部側の３辺部分は、裏面１１ｂ側が空間となっている（図１，２参照）。
【００１９】
また、舌部１５は、開口１２の範囲内に位置しているので、ホルダ１０の金型設計に際し抜き構造を容易に形成することができる。また、カバー部１３裏面側で切り欠かれた枠部１１の離間距離は、舌部１５の横幅（自由端１５ｂ側辺の幅）と略同一に形成されており（図１（ｂ）参照）、ホルダ１０の金型設計に際し効果的である。更に、枠部１１は、舌部１５が形成されていない部分が、保持壁１４を有するのみのＬ字状断面形状を有している（図２参照）ので、ホルダ１０の金型設計に際し抜き構造を容易に形成することができる。
なお、表示器１８を保持するホルダ１０が、基部１５ａで枠部１１に接続し、基部１５ａ以外は枠部１１から切り離された舌部１５を有することにより、金型によるホルダ１０の成型後、舌部１５をめくって金型からホルダ１０を取り出すことができる。
【００２０】
図３は、図１のホルダに保持される表示器を示し、（ａ）は正面図、（ｂ）は斜視図である。図３に示すように、ホルダ１０に保持される表示器１８は、液晶ディスプレイ（ＬＣＤ）や有機発光ダイオード（Ｏｒｇａｎｉｃ  Ｌｉｇｈｔ  Ｅｍｉｔｔｉｎｇ  Ｄｉｏｄｅ：ＯＬＥＤ）等からなる。表示器１８の一方の長辺部側には、表示器１８に対し給電及び信号導通を行う外部配線接続部１９が形成されており、外部配線接続部１９には、フレキシブルプリント配線板（Ｆｌｅｘｉｂｌｅ  Ｐｒｉｎｔｅｄ  Ｃｉｒｃｕｉｔ：ＦＰＣ）２０が接続されている。外部配線接続部１９は、表示面１８ａの外形線（短辺）を延長して形成した長方形状を有している。なお、表示器１８には、自発光素子型の表示器（ＯＬＥＤなど）、或いはバックライトを備えた表示器（ＬＣＤなど）が用いられる。
【００２１】
図４は、図１のホルダに図３の表示器を装着した状態を示し、（ａ）は表面側の斜視図、（ｂ）は裏面側の斜視図である。図４に示すように、ホルダ１０に表示器１８を装着する（（ａ）参照）場合、裏返しにしたホルダ１０の舌部１５をめくって上方に引き上げ（（ｂ）矢印参照）、その状態を保持したまま、裏返しにしてＦＰＣ２０が取り付けられていない側を先方に向けた表示器１８を、カバー部１３側から舌部１５下方に挿入する（（ｂ）白抜き矢印参照）。
挿入した表示器１８を、開口１２の上方から開口１２を塞ぐように枠部１１に嵌め込んで、枠部１１に組み込む（（ｂ）参照）。枠部１１に表示器１８を組み込んだ後に、舌部１５の保持を解除すると、弾性部材からなる舌部１５は、直ぐに元の状態に復帰して表示器１８の裏面１８ｂに接触した状態になる。このようにして、容易に表示器１８をホルダ１０に取り付けることが可能となっている。
【００２２】
図５は、図４（ａ）の断面による説明図である。図５に示すように、ホルダ１０に装着された表示器１８は、表示面１８ａ側をカバー部１３及び保持壁１４に接触させると共に、裏面１８ｂ側を舌部１５に接触させており、カバー部１３及び保持壁１４と舌部１５によって表裏面両側から挟み込まれた状態になる。この状態で、表示器１８は、表示面１８ａの全域を開口１２から露出させる（図４（ａ）参照）と共に、裏面１８ｂの略全域が舌部１５に覆われる（図４（ｂ）参照）。
【００２３】
図６は、図１の表示器を保持したホルダが装着される携帯電子機器の斜視図である。図７は、図６の携帯電子機器の分解構成図である。図６に示すように、携帯電子機器である携帯電話装置２１は、第１筐体（上側筐体）２２と第２筐体（下側筐体）２３が後述するヒンジ部３１（図７参照）を介して連結され、第１筐体２２と第２筐体２３がヒンジ部３１を軸に相互に接近・離反する方向に回動する折り畳み式構造を有している。
この携帯電話装置２１には、第１筐体２２の内面側に配置したメイン表示器（第２表示器）２４（図７参照）と、外表面側に配置した、上述したホルダ１０に組み込まれ保持された表示器１８（図３参照）からなるサブ表示器の２つの表示器が備えられている。
【００２４】
図７に示すように、第１筐体２２は、メイン表示器２４が装着される下ケース２５、補強板金（板金部品）２６、メイン基板２７、サブ表示器１８を保持したホルダ１０が装着される上ケース２８、及び化粧パネル（加飾プレート）２９を有しており、これら各部材を記載順に積み重ねて組み立てられている。下ケース２５には、ＳＯＢ（Ｓｙｓｔｅｍ  Ｏｎ  Ｂｏａｒｄ）基板（図示略）を組み込んだヒンジ部３１が設けられている。
プレス成形により形成される補強板金２６は、薄板状のメイン表示器２４を補強すると共に表示器の静電気対策を兼ねており、ホルダ１０の枠部１１を取り付けて位置決め固定するための爪（係止手段）２６ａを４個有している。この爪２６ａは、例えば、板金からの切り起こしにより別部品を設けることなく形成され、枠部１１に４箇所設けられた爪受け部１７（図１（ｂ）参照）に挿入係止する。
【００２５】
メイン基板２７には、メイン表示器２４の駆動用デバイス等（図示しない）が形成されており、上ケース２８と上ケース２８の外表面に取り付けられる化粧パネル２９には、サブ表示器１８の表示面１８ａを露出させる開口２８ａ，２９ａが開けられている。化粧パネル２９の開口２９ａには、アクリル樹脂等の透明部材からなるウインドパネル３２が装着される。
第２筐体２３は、駆動用のバッテリ（図示しない）が装着された後に下ケース３４の蓋をするバッテリケース３３、基板等（図示しない）が装着される下ケース３４、及び操作キー（図示しない）が装着される上ケース３５を有しており、これら各部材を記載順に積み重ねて組み立てられている。下ケース３４と上ケース３５は、ヒンジ部３１が取り付けられるヒンジ受け部３４ａ，３５ａを有している。
【００２６】
図８は、補助板金装着後の第１筐体の分解構成図である。図８に示すように、下ケース２５に補助板金２６の装着されたメイン表示器２４を取り付けた後、サブ表示器１８をホルダ１０に装着して、サブ表示器１８を保持したホルダ１０を補助板金２６に取り付ける。補助板金２６にホルダ１０を取り付けた後、補助板金２６の上にメイン基板２７を配置する。ホルダ１０から露出するサブ表示器１８のＦＰＣ２０は、メイン基板２７のコネクタ２７ａに接続される。このＦＰＣ２０を介して、メイン基板２７からサブ表示器１８へ給電及び信号導通が行われる。
【００２７】
メイン基板２７を配置した後、メイン基板２７、サブ表示器１８を保持したホルダ１０、及び補助板金２６を覆うように、下ケース２５に上ケース２８を取り付ける。上ケース２８の外表面には化粧パネル２９が取り付けられており、化粧パネル２９の開口２９ａに嵌め込んだ透明なウインドパネル３２により、上ケース２８の開口２８ａから露出させたサブ表示器１８の表示面１８ａが覆われる。
図９は、ホルダの装着について説明し、（ａ）はホルダ取り付け前の斜視図、（ｂ）はホルダ取り付け後の斜視図である。図９に示すように、第１筐体２２の下ケース２５にメイン基板２７と共に組み込まれた補強板金２６は、メイン基板２７に設けられたホルダ１０を配置するための空間から、４個の爪２６ａを露出させている（（ａ）参照）。
【００２８】
この４個の爪２６ａに、枠部１１の４箇所の爪受け部１７をそれぞれ位置させて、補強板金２６にホルダ１０を載置し、爪受け部１７に爪２６ａを軽く圧入して嵌合状態にする。なお、爪２６ａの長さ（高さ）は、爪受け部１７の深さよりわずかに短く構成してあり、爪２６ａは爪受け部１７を貫通することなく、爪受け部１７内に位置する。これにより、サブ表示器１８を保持したホルダ１０は、補強板金２６に位置決め固定され、表示面１８ａを上に向けた状態で下ケース２５に装着される（（ｂ）参照）。
つまり、メイン表示器２４の表示面の背面側に配置された補強板金２６に、表示面背面側方向に突出させて爪２６ａを形成し、この爪２６ａを爪受け部１７に係止させて、補強板金２６にホルダ１０を固定する。
【００２９】
図１０は、表示器を保持したホルダのケース装着状態を示し、（ａ）は斜視断面図、（ｂ）は拡大断面図である。図１０に示すように、サブ表示器１８を保持したホルダ１０は、舌部１５を補強板金２６に接触させて第１筐体２２の上ケース２８に組み込まれており（（ａ），（ｂ）参照）、上ケース２８の開口２８ａから露出するサブ表示器１８の表示面１８ａは、ウインドパネル３２に覆われている。このように、サブ表示器１８は、表示面、その裏面、さらには側面という全方位に対してホルダ１０という緩衝材にて囲まれる状態で組み込まれることとなり、全方位への衝撃に対して強くすることができる。
【００３０】
図１１は、第１筐体の上ケースを内面側から見た斜視図である。図１１に示すように、第１筐体２２の上ケース２８には、開口２８ａにウインドパネル３２が取り付けられている。この上ケース２８を、ウインドパネル３２がサブ表示器１８の表示面１８ａを覆うように、下ケース２５に装着する。上ケース２８を下ケース２５に装着することにより、上ケース２８の開口２８ａ周辺の内面Ｎには、ホルダ１０の枠部１１が圧着した状態になり、枠部１１によって、サブ表示器１８の表示面１８ａは上ケース２８の内面との間で隙間なく密閉される。従って、ホルダ１０により、上ケース２８の内面とサブ表示器１８の間から塵埃が入り込むのを阻止して、表示面１８ａに塵埃が付着するのを防止することができる。特に、ホルダ１０の圧着される開口２８ａ周縁の内面Ｎは、凹凸のない平面に構成されており、密閉性が高められている。
【００３１】
このように、ホルダ１０に保持された表示器１８は、表示器１８を、表示器１８の表裏面両側から挟み込む弾性部材からなるホルダ１０に装着し保持する工程と、表示器１８を保持するホルダ１０を、表示器１８の裏面１８ｂ側に位置する筐体構成部品である補強板金２６に位置決め固定する工程と、表示器１８の裏面１８ｂ側に位置決め固定したホルダ１０を、表示器１８の表示面１８ａ側に位置する筐体構成部品である上ケース２８に、上ケース２８の内面側から接触させた状態で、筐体内に組み込む工程とを経て、携帯電子機器である携帯電話装置２１に組み付けられる。
【００３２】
上述したように、サブ表示器１８を、従来の表示器の筐体側に貼り付けたスポンジ等のシートを用いることなく、ゴム等の弾性部材からなるホルダ１０のみで装着することができるため、防塵効果を兼ね備えた表示器装着構造を得ることができる。つまり、従来の表示器を保持する構造のように、表示器を保持するプラスチックホルダに加え、表示器のガラス面を保護するための別部材（例えば、弾性部材からなるシート）が必要になることがない。
【００３３】
また、ホルダ１０は、弾性部材からなる舌部１５による舌構造を有するので、サブ表示器１８をホルダ１０に簡単、且つ、容易に装着することができ、サブ表示器１８の組み込み工数を削減することができると共に、アンダーカット部を極力減らして生産性を向上させることができる。更に、サブ表示器１８は、表示面１８ａ側及び裏面１８ｂ側さらには側面を含む略全周がゴム等の弾性部材により覆われているので、落下等により、ガラス板からなる表示面１８ａを有するサブ表示器１８に衝撃が加わった場合でも、効果的に衝撃を吸収することができる。
【００３４】
さらに、サブ表示器１８の略全周をホルダ１０で覆うことにより、自発光或いはバックライト等の照明光が、表示面用の開口以外から光漏れして表示面の光量が落ちたりすることを防止でき、表示面の光り方が均一になりやすくなる。また、逆に、メイン表示器などの他の照明光が侵入したりすることを防ぐこともできる。
なお、上記実施の形態において、ホルダ１０は、携帯電話装置のサブ表示器１８を保持する例を示しているが、これに限らず、さらに他の表示器を保持して、同様に装着しても良いし、ＰＤＡやポータブルゲーム機、ナビゲーション、電子辞書などの他の携帯電子機器において実施しても良いことは言うまでもない。
【図面の簡単な説明】
【００３５】
【図１】この発明の一実施の形態に係るホルダを示し、（ａ）は表面側の斜視図、（ｂ）は裏面側の斜視図である。
【図２】図１（ａ）のホルダを詳細に示し、（ａ）はＡ−Ａ線に沿う断面図、（ｂ）はＢ−Ｂ線に沿う断面図である。
【図３】図１のホルダに保持される表示器を示し、（ａ）は正面図、（ｂ）は斜視図である。
【図４】図１のホルダに図３の表示器を装着した状態を示し、（ａ）は表面側の斜視図、（ｂ）は裏面側の斜視図である。
【図５】図４（ａ）の断面による説明図である。
【図６】図１の表示器を保持したホルダが装着される携帯電子機器の斜視図である。
【図７】図６の携帯電子機器の分解構成図である。
【図８】補助板金装着後の第１筐体の分解構成図である。
【図９】ホルダの装着について説明し、（ａ）はホルダ取り付け前の斜視図、（ｂ）はホルダ取り付け後の斜視図である。
【図１０】表示器を保持したホルダのケース装着状態を示し、（ａ）は斜視断面図、（ｂ）は拡大断面図である。
【図１１】第１筐体の上ケースを内面側から見た斜視図である。
【符号の説明】
【００３６】
１０  ホルダ
１１  枠部
１１ａ  表面
１１ｂ  裏面
１２  開口
１３  カバー部
１４  保持壁
１５  舌部
１５ａ  基部
１５ｂ  自由端
１６ａ，１６ｂ  突条
１７  爪受け部
１８  表示器
１８ａ  表示面
１８ｂ  裏面
１９  外部配線接続部
２０  ＦＰＣ
２１  携帯電話装置
２２  第１筐体
２３  第２筐体
２４  メイン表示器
２５  下ケース
２６  補強板金
２６ａ  爪
２７  メイン基板
２８  上ケース
２８ａ，２９ａ  開口
２９  化粧パネル
３１  ヒンジ部
３２  ウインドパネル
３３  バッテリケース
３４ａ，３５ａ  ヒンジ受け部
３４  下ケース
３５  上ケース
【図１】
2007298575.tif 000003
【図２】
2007298575.tif 000004
【図３】
2007298575.tif 000005
【図４】
2007298575.tif 000006
【図５】
2007298575.tif 000007
【図６】
2007298575.tif 000008
【図７】
2007298575.tif 000009
【図８】
2007298575.tif 000010
【図９】
2007298575.tif 000011
【図１０】
2007298575.tif 000012
【図１１】
2007298575.tif 000013